(57)【特許請求の範囲】
【請求項１】
当該情報処理装置を制御可能な少なくとも一つの外部装置が当該情報処理装置を指向しているか否かを判定する判定手段と、
前記判定手段により前記外部装置が当該情報処理装置を指向していないと判定された場合、前記外部装置を優先度判定対象から外し、前記判定手段により前記外部装置が当該情報処理装置を指向していると判定された場合、前記外部装置を優先度判定対象に含める優先度判定対象選択手段と、
前記優先度判定対象選択手段により優先度判定対象に含められた前記各外部装置と当該情報処理装置との位置関係に基づいて、前記各外部装置に対して優先度を決定する第１の決定手段と、
前記第１の決定手段により決定された優先度に基づいて、前記各外部装置による制御に応じた処理内容を決定する第２の決定手段とを有することを特徴とする情報処理装置。
【請求項２】
当該情報処理装置の使用に係る関係性を前記各外部装置に対して判定する関係性判定手段を更に有し、
前記第１の決定手段は、前記関係性判定手段により判定された当該情報処理装置の使用に係る関係性に基づいて、前記各外部装置に対して優先度を決定することを特徴とする請求項１に記載の情報処理装置。
【請求項３】
前記関係性判定手段は、当該情報処理装置の使用に係る関係性として、当該情報処理装置と関連のあるプロセスを有するか否か、又は、当該情報処理装置を使用した頻度を前記各外部装置に対して判定することを特徴とする請求項２に記載の情報処理装置。
【請求項４】
前記第２の決定手段は、前記各外部装置から要求されるデータの出力処理の内容を、前記決定手段により決定された優先度に基づいて決定することを特徴とする請求項１乃至３の何れか１項に記載の情報処理装置。
【請求項５】
前記第２の決定手段は、前記データの出力サイズ、前記データの出力位置及び前記データに含まれる音声データの出力音量のうちの少なくとも何れか一つを、前記決定手段により決定された優先度に基づいて決定することを特徴とする請求項４に記載の情報処理装置。
【請求項６】
情報処理装置による情報処理方法であって、
当該情報処理装置を制御可能な少なくとも一つの外部装置が当該情報処理装置を指向しているか否かを判定する判定ステップと、
前記判定ステップにより前記外部装置が当該情報処理装置を指向していないと判定された場合、前記外部装置を優先度判定対象から外し、前記判定ステップにより前記外部装置が当該情報処理装置を指向していると判定された場合、前記外部装置を優先度判定対象に含める優先度判定対象選択ステップと、
前記優先度判定対象選択ステップにより優先度判定対象に含められた前記各外部装置と当該情報処理装置との位置関係に基づいて、前記外部装置に対して優先度を決定する第１の決定ステップと、
前記第１の決定ステップにより決定された優先度に基づいて、前記各外部装置による制御に応じた処理内容を決定する第２の決定ステップとを含むことを特徴とする情報処理方法。
【請求項７】
情報処理装置による情報処理方法をコンピュータに実行させるためのプログラムであって、
当該情報処理装置を制御可能な少なくとも一つの外部装置が当該情報処理装置を指向しているか否かを判定する判定ステップと、
前記判定ステップにより前記外部装置が当該情報処理装置を指向していないと判定された場合、前記外部装置を優先度判定対象から外し、前記判定ステップにより前記外部装置が当該情報処理装置を指向していると判定された場合、前記外部装置を優先度判定対象に含める優先度判定対象選択ステップと、
前記優先度判定対象選択ステップにより優先度判定対象に含められた前記各外部装置と当該情報処理装置との位置関係に基づいて、前記外部装置に対して優先度を決定する第１の決定ステップと、
前記第１の決定ステップにより決定された優先度に基づいて、前記各外部装置による制御に応じた処理内容を決定する第２の決定ステップとをコンピュータに実行させるためのプログラム。
【発明の詳細な説明】
【技術分野】
【０００１】
本発明は、少なくとも一つの外部装置により情報処理装置を制御可能とする技術に関するものである。
【背景技術】
【０００２】
情報処理端末からの制御を受けて処理を行う情報処理装置において、情報処理装置は各情報処理端末の要求に応じて、当該情報処理装置における処理又は情報処理端末に対する操作手段の提供等の処理を行う。具体的には、例えば情報処理端末からの要求を受けて映像表示を行う為のディスプレイ装置が情報処理端末からの要求を受けてコンテンツデータの表示処理又は情報処理端末に対するユーザインタフェースの提供処理を行うことを指す。
【０００３】
従来、上記の処理を行うために、ユーザは使用したい情報処理装置の物理的位置やネットワークアドレス等の情報を把握し、ユーザが有する情報処理端末上から情報処理装置を制御するための操作を行う必要があった。具体例としては、情報処理端末から情報処理装置のネットワークアドレスを指定し、情報処理装置を情報処理端末から制御可能な状態にすることを指す。
【０００４】
その他の従来技術として、複数のユーザからネットワークを介して遠隔操作される情報処理装置において、それぞれの命令に対して好適に対応できるようにするための方法が開示されている（例えば、特許文献１参照）。この方法によれば、有線又は無線を介して接続される情報処理装置の動作を、ネットワークを介して接続される複数の情報処理端末からの命令に基づいて制御することができる。ここで、本従来技術では、各情報処理端末に対して設定されている優先度等を参照し、何れの命令を優先して実行させるかを判定している。これにより、ある情報処理端末からの処理を実行中に、他の情報処理端末からの処理を実行することが命令がされた場合であっても、それぞれの命令に対応する処理の実行を好適に制御することが可能になる。
【０００５】
【特許文献１】特開２００２−３６９２６６号公報
【発明の開示】
【発明が解決しようとする課題】
【０００６】
しかしながら、情報処理装置が複数の情報処理端末から操作される場合、情報処理装置に対する制御の競合が起こり易くなる。情報処理端末から情報処理装置のネットワークアドレスを指定し、情報処理装置を情報処理端末から制御可能とする技術では、情報処理装置は情報処理端末からの命令に応じた制御動作を逐次実行する。即ち、本従来技術においては、情報処理装置は、先に命令を受けた情報処理端末の処理が終わった後、次に命令を受けた情報処理端末の処理を実行するという制御を行う。しかしながら、この方法では、先に命令を送った情報処理端末のユーザに支障は無いものの、後に命令を送った情報処理端末のユーザは先に命令を送った情報処理端末の処理の終了を待たなければならない。また、オフィス等のように情報処理装置の数に対して情報処理端末の数が相対的に多数存在する場所では、前述の待ち時間は更に長くなってしまう。
【０００７】
また、特許文献１に記載された技術では、複数の情報処理端末からの命令が競合した場合、例え或る情報処理端末からの命令が後に送られた場合でも、当該情報処理端末の優先度が高ければ、他の情報処理端末から先に送られた命令に応じた処理を停止させる。そして、後に送られた当該情報処理端末からの命令に応じた処理を待ち時間無く開始することが可能である。
【０００８】
しかしながら、本従来技術では、優先度の低い情報処理端末のユーザは優先度の高い情報処理端末の命令に応じた処理が終了するのを待たなければならないという問題がある。また、本従来技術では、情報処理装置を使用する可能性のある各情報処理端末に予め優先度を指定しておく必要があるが、その優先度が必ずしも実際の利用に適した優先度とはならないという問題がある。
【０００９】
具体例としては、情報処理装置がディスプレイ等の映像表示装置であった場合、本従来技術の方法によれば優先度の高い情報処理端末が要求するコンテンツがその他の情報処理端末が要求するコンテンツよりも優先されて映像表示装置に出力される。このとき、優先度の高い情報処理端末が映像表示装置と物理的に離れた位置にあった場合、実際には優先度の高い情報処理端末を持つユーザは映像表示装置が出力するコンテンツを視聴することができない。それにも関わらず、優先度の高い情報処理端末から要求されるコンテンツが他の情報処理端末が要求するコンテンツよりも優先されて出力されてしまう。
【００１０】
そこで、本発明の目的は、情報処理装置と各外部装置との関係性に応じた適切な優先度を自動的に決定することを可能とすることにある。
【課題を解決するための手段】
【００１１】
本発明の情報処理装置は、当該情報処理装置を制御可能な少なくとも一つの外部装置が当該情報処理装置を指向しているか否かを判定する判定手段と、前記判定手段により前記外部装置が当該情報処理装置を指向していないと判定された場合、前記外部装置を優先度判定対象から外し、前記判定手段により前記外部装置が当該情報処理装置を指向していると判定された場合、前記外部装置を優先度判定対象に含める優先度判定対象選択手段と、前記優先度判定対象選択手段により優先度判定対象に含められた前記各外部装置と当該情報処理装置との位置関係に基づいて、前記各外部装置に対して優先度を決定する第１の決定手段と、前記第１の決定手段により決定された優先度に基づいて、前記各外部装置による制御に応じた処理内容を決定する第２の決定手段とを有することを特徴とする。
【発明の効果】
【００１２】
本発明においては、情報処理装置と各外部装置との関係性に応じて優先度を各外部装置に対して決定し、優先度に基づいて各外部装置による制御に応じた情報処理装置の処理内容を決定するように構成している。従って、本発明によれば、情報処理装置と各外部装置との関係性に応じた適切な優先度を自動的に決定することが可能となる。
【発明を実施するための最良の形態】
【００１３】
以下、本発明を適用した好適な実施形態を、添付図面を参照しながら詳細に説明する。なお、以下に説明する実施形態において示す構成は飽くまでも一例に過ぎず、本発明に適用可能な構成を限定するものではない。
【００１４】
図１は、本発明の実施形態に係る情報処理システムの構成を示すブロック図である。図１に示すように、本実施形態に係る情報処理システムは、情報処理端末Ａ２００、情報処理端末Ｂ２０１、情報処理端末Ｃ２０２、情報処理装置２５８、映像コンテンツデータベース２５６及び映像表示装置２５９から構成される。なお、情報処理端末Ａ２００〜Ｃ２０２は、本発明の外部装置の適用例となる構成であり、情報処理装置２５８は、本発明の情報処理装置の適用例となる構成である。
【００１５】
また、情報処理装置２５８は、無線通信モジュール２６１、メモリ２５５及びＣＰＵ２６０から構成される。本実施形態の動作概要は、先ず、情報処理装置２５８は周辺にある情報処理端末Ａ２００、情報処理端末Ｂ２０１、情報処理端末Ｃ２０２の存在を検知する。そして、情報処理装置２５８は、各情報処理端末の向きと各情報処理端末と情報処理装置２５８間の距離とに基づいて、各情報処理端末により要求されたコンテンツデータの表示サイズ（出力サイズ）及び表示位置（出力位置）を決定し、映像信号２９０を出力する。
【００１６】
次に、本実施形態に係る情報処理システムの動作の流れについて説明する。無線通信モジュール２６１の一機能である端末検知部２５１は、周囲の情報処理端末を無線通信により定期的に確認し、情報処理端末を検知した場合は、検知した情報処理端末を示す端末登録情報２９４をメモリ２５５に送信し、記録させる。ここでは、図１に示すように情報処理端末Ａ２００、情報端末Ｂ２０１及び情報処理端末Ｃ２０２が検知されたものとして説明を進める。
【００１７】
次に、無線通信モジュール２６１の一機能である端末情報取得部２５２は、端末検知部２５１によって検知された各情報処理端末の端末情報２８０及び処理要求情報２８２を取得する。ここで端末情報２８０は、指向情報及び距離情報を含む情報であり、処理要求情報２８２は、各情報処理端末から送信されるコンテンツ要求信号を含む情報である。ここでは、図１に示すように、情報処理装置２５８との距離は、情報処理端末Ｃ２０２が最も近く、情報処理端末Ａ２００が次に近く、情報端末Ｂ２０１が最も遠いものとする。距離情報では、各情報処理端末について情報処理装置２５８との距離が示される。また、何れの情報処理端末も情報処理装置２５８を指向しており、その旨が指向情報に示されているものとする。処理要求情報２８２については、情報端末Ａ２００からコンテンツ要求信号Ａ２８５が、情報端末Ｂ２０１からコンテンツ要求信号Ｂ２８６が、情報端末Ｃ２０２からコンテンツ要求信号Ｃ２８７が送信されたことが示されている。メモリ２５５では、それぞれのコンテンツ要求信号が処理要求情報２８２として記録される。
【００１８】
次に、ＣＰＵ２６０の一機能である優先度決定部２５３は、端末情報２８０に含まれる各情報処理端末の指向情報及び距離情報を基に、各情報処理端末に対する優先度情報２８１を決定し、メモリ２５５に優先度情報２８１を記録する。優先度情報２８１を決定する際には、情報処理装置２５８を指向する情報処理端末のうちから情報処理装置２５８との距離が近いものから順に高い優先度を示す優先度情報２８１を設定する。なお、本処理の詳細な内容については図３を用いて後述する。
【００１９】
次に、ＣＰＵ２６０の一機能である処理内容決定部２５４は、優先度情報２８１と処理要求情報２８２とを基に、各情報処理端末に対する実行処理情報２８３を決定し、メモリ２５５に記録する。
【００２０】
ここで実行処理情報２８３とは、各情報処理端末の処理要求情報２８２に対し、実際に情報処理装置２５８で処理を実行するための命令情報である。本実施形態においては、実行処理情報２８３は、コンテンツデータを特定するためのコンテンツ情報、コンテンツデータの表示位置を規定するコンテンツ表示位置情報及びコンテンツデータの表示サイズを規定するコンテンツ表示サイズ情報から成る。
【００２１】
実行処理情報２８３を決定する際には、処理要求情報２８２により要求されるコンテンツデータに対応する優先度情報２８１が高い順に各コンテンツデータのコンテンツ表示サイズ情報が決定される。また、予め決められた映像表示装置２５９の映像表示領域内に各コンテンツデータをレイアウトすることで各コンテンツのコンテンツ表示位置情報を決定する。なお、本処理の詳細な内容については図４を用いて後述する。
【００２２】
次に、ＣＰＵ２６０の一機能である画面形成部２５７は、実行処理情報２８３に含まれるコンテンツ情報を参照し、コンテンツデータを保持する映像コンテンツデータベース２５６にコンテンツ要求信号２８８を送信する。
【００２３】
映像コンテンツデータベース２５６は、コンテンツ要求信号２８８受け取ると、要求されたコンテンツデータ２８９を画面形成部２５７に対して出力する。次に、画面形成部２５７は受け取ったコンテンツデータ２８９を、実行処理情報２８３のコンテンツ表示位置情報及びコンテンツ表示サイズ情報を参照してフレームデータを形成し、映像信号２９０を出力する。ここでフレームデータとは、映像表示装置２５９の映像表示領域１面分に表示する画像データのことを指す。このとき出力される映像信号２９０は、処理内容決定部２５４によって決定されたとおり、優先度情報２８１で示される優先度が高い順に表示サイズを大きくしてコンテンツデータを配置したものとなっている。最後に映像表示装置２５９は、映像信号２９０を受け取って表示する。
【００２４】
上述した構成により、複数存在する情報処理端末から命令を受けて処理を行う情報処理装置２５８において、各情報処理端末と情報処理装置２５８との関係性を加味して各情報処理端末からの命令を同時に実行することが可能になる。より具体的には、図１に示すように、情報処理端末Ｃ２０２が情報処理装置２５８から最も距離が近く、次に情報処理端末Ａ２００が情報処理装置２５８から距離が近く、情報処理端末Ｂ２０１が最も情報処理端末２５８から距離が遠い。従って、情報処理端末Ｃ２０２からのコンテンツ要求信号Ｃ２８７により表示が要求されるコンテンツデータの表示サイズを最も大きくとり、映像表示装置２５９上において最も大きなサイズの映像ウインドウＣ２９３に表示する。また、情報処理端末Ａ２００からのコンテンツ要求信号Ａ２８５により表示が要求されるコンテンツデータの表示サイズを次に大きくとり、映像表示装置２５９上において次に大きなサイズの映像ウインドウＡ２９１に表示する。また、情報処理端末Ｂ２０２からのコンテンツ要求信号２８６により表示が要求されるコンテンツデータの表示サイズを最も小さくとり、映像表示装置２５９上において最も小さなサイズの映像ウインドウＢ２９２に表示する。
【００２５】
図２は、優先度決定部２５３の処理の流れを示すフローチャートである。以下、各処理ステップについて順に説明する。優先度決定部２５３が処理を開始すると、ステップ３００から処理が始まり、ステップ３０１に遷移する。ステップ３０１は、端末検知部２５１によって検知された全ての情報処理端末に対する処理ループの開始端である。以降のステップを適用していない情報処理端末が残っている場合はステップ３０１に遷移し、残っていない場合にはステップ３０４に遷移する。
【００２６】
ステップ３０２において、優先度決定部２５３は、端末情報２８０に含まれる該当する情報処理端末の指向情報を参照し、当該情報処理端末が情報処理装置２５８を指向しているか否かを判定する。当該情報処理端末が情報処理装置２５８を指向していると判断した場合にはステップ３０３へ、指向していないと判断した場合にはステップ３０１に遷移する。
【００２７】
情報処理端末の指向を判断する具体的な実現手段としては次のような技術が挙げられる。即ち、例えば情報処理装置２５８に複数の赤外線発光素子を付加し、情報処理端末に赤外線撮影素子を付加する。そして、情報処理装置２５８から赤外線を投射して情報処理装置２５８と情報処理端末との距離及び指向を測定（判定）する。本処理は、本発明の判定手段の一処理例である。
【００２８】
ステップ３０３に遷移した場合は、当該情報処理端末を優先度判定対象のリストに追加する。以上のステップを終えるとステップ３０４に遷移する。次にステップ３０５において、優先度決定部２５３は、優先度判定対象のリストを情報処理装置２５８と情報処理端末の距離が近い順にソートする。
【００２９】
次にステップ３０６において、優先度決定部２５３は、ソートされた順に各情報処理端末について優先度情報を設定する。この結果、情報処理装置２５８と情報処理端末との距離が近いもの程、高い優先度を示す優先度情報が設定される。その後ステップ３０７に遷移し、本処理を終了する。ステップ３０６は、本発明の第１の決定手段の一処理例である。
【００３０】
図３は、処理内容決定部２５４の処理の流れを示すフローチャートである。以下、各処理ステップについて順に説明する。処理内容決定部２５４が処理を開始すると、ステップ４００から処理が始まり、ステップ４０１に遷移する。ステップ４０１は、全ての優先度情報を持つ情報処理端末に対して実行するループの開始端である。以降のステップを適用してない情報処理端末が残っている場合にはステップ４０１に遷移し、残っていない場合にはステップ４０４に遷移する。
【００３１】
ステップ４０２において、処理内容決定部２５４は、優先度情報２８１に基づいて処理要求情報２８２で指定されるコンテンツデータの表示サイズを決定する。図４は、優先度情報により示される優先度とコンテンツデータの表示サイズとの関係の一例を示す図である。図４に示す例では、優先度とコンテンツデータの表示サイズとの関係は、優先度情報により示される優先度が高いものほど、表示サイズが大きくなるように定められている。このように優先度情報に示される優先度に基づいて各コンテンツデータについて表示サイズが割り当てられる。なお、ステップ４０２は、本発明の第２の決定手段の一処理例である。
【００３２】
次にステップ４０３において、処理内容決定部２５４は、各コンテンツデータに割り当てた表示サイズをメモリ２５５に記録し、ループ開始端であるステップ４０１に戻る。全ての優先度情報を持つ情報処理端末に対して上述の処理を終えた後、ループ終了端であるステップ４０４に遷移し、ループ処理を終える。
【００３３】
その後ステップ４０５に遷移し、処理内容決定部２５４は、全ての優先度情報を持つ情報処理端末について前述の表示サイズに基づき画面レイアウトを生成する。より具体的には、処理内容決定部２５４は、処理要求情報２８２で指定されるコンテンツデータをそれぞれステップ４０３で記録された表示サイズで映像表示装置２５９の映像表示領域上に配置し、各情報処理端末についてコンテンツデータの表示位置を決定する。次にステップ４０６では、処理内容決定部２５４は、全ての優先度情報を持つ情報処理端末についてコンテンツ情報、コンテンツ表示サイズ情報及びコンテンツ表示位置情報を含む実行処理情報２８３を出力し、メモリ２５５上に記録する。その後、ステップ４０７に遷移し、本処理を終了する。
【００３４】
以上のように、本実施形態においては、情報処理装置２５８と各情報処理端末との関係性に応じて優先度を各情報処理装置に対して決定し、優先度に基づいて各情報処理端末による制御に応じた情報処理装置２５８の処理内容を決定するように構成している。従って、本実施形態によれば、情報処理装置２５８と各情報処理端末との関係性に応じた適切な優先度を自動的に決定することが可能となる。
【００３５】
上述した実施形態においては、各情報処理端末からの要求について情報処理装置２５８との距離に応じて優先度を決定し、各情報処理端末から要求されたコンテンツデータを優先度の高い順に大きな表示サイズで表示させるようにしている。優先度に応じた処理は表示サイズの変更に限らず、例えば、優先度が高いコンテンツデータ程、ユーザにとって見やすい位置と考えられる映像表示領域を割り当てたり、コンテンツデータに含まれる音声データの出力音量を大きくすること等が考えられる。
【００３６】
また、優先度を決定するための各情報処理端末と情報処理装置２５８との関係も距離に限られず、情報処理装置２５８に対する各情報処理端末の方向等、広く各情報処理端末と情報処理装置２５８との位置関係に応じて優先度を決定してもよい。さらに、各情報処理端末が情報処理装置２５８に対してどの程度向いているか（指向性）に応じて優先度を決定してもよい。これにより、情報処理端末２５８に対する各情報処理端末の指向性を加味した優先度を決定することが可能となる。
【００３７】
また、情報処理装置２５８と同じＬＡＮ内に存在する情報処理端末に対して高い優先度を決定してもよい。その他、情報処理装置２５９と関連の或るプロセスや操作履歴を有する情報処理端末に対して高い優先度を決定してもよい。例えば、情報処理装置２５８を使用するためのプロセスが実行されている情報処理端末や、情報処理装置２５８を使用した日時が近い情報処理端末や、情報処理装置２５８を使用した頻度が多い情報処理端末程、高い優先度を決定するようにしてもよい。このように、本発明においては、各情報処理端末と情報処理装置との様々な関係性に応じて優先度を決定することができる。
【００３８】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００３９】
また、本発明は、例えば、システム、装置、方法、プログラムもしくは記録媒体等としての実施形態も可能であり、具体的には、一つの機器からなる装置に適用してもよい。
【００４０】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００４１】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００４２】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００４３】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００４４】
【図１】本発明の実施形態に係る情報処理システムの構成を示すブロック図である。
【図２】優先度決定部の処理の流れを示すフローチャートである。
【図３】処理内容決定部の処理の流れを示すフローチャートである。
【図４】優先度情報により示される優先度とコンテンツ表示サイズとの関係の一例を示す図である。
【符号の説明】
【００４５】
２００  情報処理端末Ａ
２０１  情報処理端末Ｂ
２０２  情報処理端末Ｃ
２５１  端末検知部
２５２  端末情報取得部
２５３  優先度決定部
２５４  処理内容決定部
２５５  メモリ
２５６  映像コンテンツデータベース
２５７  画面形成部
２５８  情報処理装置
２５９  映像表示装置
２６０  ＣＰＵ
２６１  無線通信モジュール
２８０  端末情報
２８１  優先度情報
２８２  処理要求情報
２８３  実行処理情報
２８８  コンテンツ要求信号
２８９  コンテンツデータ
２９０  映像信号
２９１  映像ウインドウＡ
２９２  映像ウインドウＢ
２９３  映像ウインドウＣ
２９４  端末登録情報
【図１】
0005142840.tif 000002
【図２】
0005142840.tif 000003
【図３】
0005142840.tif 000004
【図４】
0005142840.tif 000005